(57)【特許請求の範囲】
【請求項１】
クラウン部と、
フェース部と、
少なくとも１つの凹部を有するソール部と、
を備え、
前記凹部は、ウエイト部材を、外部に突出しないように収容可能に構成されており、
前記ソール部は、前記凹部を含み、下方へ突出するとともに、少なくとも一部が基準状態において設置面に設置する隆起部を備えており、
前記凹部の中心は、ヘッド重心よりもフェース−バック方向のバック側で、且つトゥ−ヒール方向のヒール側に配置され、
前記隆起部の縁部の全周のうちの少なくとも一部は、前記ソール部における当該隆起部以外の箇所との境界に段差を有するように形成されている、ゴルフクラブヘッド。
【請求項２】
前記隆起部は、
前記ソール部とフェース部との境界近傍に沿う第１縁部と、
前記ソール部とクラウン部との境界近傍に沿い、ヒール側から、トゥ−ヒール方向の中央付近まで延びる第２縁部と、
前記第２縁部のトゥ側の端部と、前記第１縁部のトゥ側の端部とを結ぶ第３縁部と、
によって囲まれている、請求項１に記載のゴルフクラブヘッド。
【請求項３】
前記第２縁部は、前記凹部の周縁の一部に対応するように、ヒール側へ突出する突出部を有している、請求項２に記載のゴルフクラブヘッド。
【請求項４】
前記凹部に配置されるウエイト部材及び装飾部材をさらに備え、
前記装飾部材は、前記ウエイト部材によって前記凹部に固定される、請求項１から３のいずれかに記載のゴルフクラブヘッド。
【請求項５】
前記ソール部の最もバック側の点を通り、且つフェース−バック方向に延びる線を規定したとき、
基準状態にある当該ヘッドを前記ソール部側から見たときにおいて、前記隆起部の面積の６０％以上が、前記線よりもヒール側に配置されている、請求項１から４のいずれかに記載のゴルフクラブヘッド。
【発明の詳細な説明】
【技術分野】
【０００１】
本発明は、ゴルフクラブヘッドに関する。
【背景技術】
【０００２】
近年、ソール部にウエイト部材が設けられた種々のゴルフクラブヘッドが提案されている。例えば、特許文献１に記載のゴルフクラブヘッドでは、ソール部において、ゴルフクラブヘッドの自然な輪郭を越えて外側に伸びるウエイト部材を有している。但し、このウエイト部材は、アドレス位置のゴルファーから見ることができないように配置されている。
【先行技術文献】
【特許文献】
【０００３】
【特許文献１】特許第５６７８００４号公報
【発明の概要】
【発明が解決しようとする課題】
【０００４】
しかしながら、上記ゴルフクラブヘッドでは、ウエイト部材がソール部から突出しているため、スイング時にウエイト部材が地面に引っ掛かるおそれがある。また、ウエイト部材は、ヘッドの重心を下げることを目的として取り付けられているが、飛距離を伸ばすためには、さらなる低重心のゴルフクラブヘッドが要望されていた。本発明は、この問題を解決するためになされたものであり、ウエイト部材がソール部から突出することなく、より低重心を実現可能なゴルフクラブヘッドを提供することを目的とする。
【課題を解決するための手段】
【０００５】
本発明に係るゴルフクラブヘッドは、クラウン部と、フェース部と、少なくとも１つの凹部を有するソール部と、を備え、前記凹部は、ウエイト部材を、外部に突出しないように収容可能に構成されており、前記ソール部は、前記凹部を含み、下方へ突出するとともに、少なくとも一部が基準状態において設置面に設置する隆起部を備えており、前記凹部の中心は、ヘッド重心よりもフェース−バック方向のバック側で、且つトゥ−ヒール方向のヒール側に配置されている。
【０００６】
上記ゴルフクラブヘッドにおいて、前記隆起部は、前記ソール部とフェース部との境界近傍に沿う第１縁部と、前記ソール部とクラウン部との境界近傍に沿い、ヒール側からトゥ−ヒール方向の中央付近まで延びる第２縁部と、前記第２縁部のトゥ側の端部と、前記第１縁部のトゥ側の端部とを結ぶ第３縁部と、によって囲むように構成することができる。
【０００７】
上記各ゴルフクラブヘッドにおいて、前記第２縁部は、前記凹部の周縁の一部がヒール側に突出する突出部を有するように構成することができる。
【０００８】
上記各ゴルフクラブヘッドにおいては、前記凹部に配置されるウエイト部材及び装飾部材をさらに備え、前記装飾部材は、前記ウエイト部材によって前記凹部に固定されるように構成できる。
【０００９】
上記各ゴルフクラブヘッドでは、基準状態にある当該ヘッドの背面視において、前記隆起部の面積の６０％以上が、前記ソール部の最もバック側の点を通り、フェース−バック方向に延びる線よりもヒール側に配置されるように構成することができる。
【発明の効果】
【００１０】
本発明に係るゴルフクラブヘッドによれば、ウエイト部材がソール部から突出することなく、より低重心を実現することができる。
【図面の簡単な説明】
【００１１】
【図１】本発明に係るゴルフクラブヘッドの第１〜第３実施形態における基準状態の斜視図である。
【図２】図１の平面図である。
【図３】フェース部の境界を説明する図である。
【図４】図１の底面図である。
【図５】図４のＡ−Ａ線断面図である（凹部の中心を通るフェース−バック方向の断面図）。
【図６】固定部材の平面図（ａ）及び断面図（ｂ）である。
【図７】装飾部材の平面図（ａ）及び断面図（ｂ）である。
【図８】装飾部材及び固定部材がソール部に取り付けられた状態を示す断面図である。
【図９】図８の平面図である。
【発明を実施するための形態】
【００１２】
以下、本発明に係るゴルフクラブヘッドの一実施形態について、図面を参照しつつ説明する。図１は本実施形態に係るゴルフクラブヘッドの斜視図、図２は図１の平面図である。以下では、まず、ゴルフクラブヘッドの概要について説明し、その後、ゴルフクラブヘッドに設けられる装飾部材及び固定部材について説明する。
【００１３】
＜１．ゴルフクラブヘッドの概要＞
【００１４】
図１に示すように、このゴルフクラブヘッド（以下、単に「ヘッド」ということがある）１０は、内部空間を有する中空構造であり、フェース部１、クラウン部２、ソール部３、サイド部４、及びホーゼル部５によって壁面が形成されている。
【００１５】
フェース部１は、ボールを打球する面であるフェース面を有しており、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００１６】
ここで、上述した基準状態について説明する。まず、図１及び図２に示すように、上記中心軸線Ｚが地面Ｈ（設置面、図５参照）に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトウ−ヒール方向と称し、このトウ−ヒール方向に対して垂直であり且つ地面に対して平行な方向をフェース−バック方向と称することとする。
【００１７】
本実施形態において、クラウン部２とサイド部４との境界は次のように定義することができる。すなわち、クラウン部２とサイド部４との間に稜線が形成されている場合には、これが境界となる。これに対して、明確な稜線が形成されていない場合には、ヘッドを基準状態に設置し、これをヘッドの重心の真上から見たときの輪郭が境界となる。また、フェース部１とクラウン部２、ソール部３との境界についても、同様であり、稜線が形成されている場合には、これが境界となる。一方、明確な稜線が形成されていない場合には、図３（ａ）に示されるように、ヘッド重心ＧとスイートスポットＳＳとを結ぶ直線Ｎを含む各断面Ｅ１、Ｅ２、Ｅ３…において、図３（ｂ）に示されるように、フェース外面輪郭線Ｌｆの曲率半径ｒがスイートスポット側からフェース外側に向かって初めて２００ｍｍとなる位置Ｐｅがフェース部１の周縁（境界）として定義される。なお、スイートスポットＳＳとは、ヘッド重心Ｇを通るフェース面の法線（直線Ｎ）とこのフェース面との交点である。
【００１８】
また、本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部を有さなかったり、サイド部４が明確に判別できずソール部に含まれており、ソール部３がクラウン部２と直接連結されているような場合には、ソール部３とクラウン部２との間の稜線が、両者の境界となる。また、明確な稜線が形成されていない場合には、ヘッドを基準状態に設置し、これをヘッド１０の重心の真上から見たときの輪郭が境界となる。なお、上記のようにサイド部が明確に判断できない場合も考慮して、本発明に係る「ソール部」は、サイド部を含むものとする。
【００１９】
次に、ソール部について説明する。図４に示すように、ソール部３には、下方に突出する隆起部３０が形成されている。より詳細に説明すると、この隆起部３０は、フェース部１とソール部３との境界近傍に沿って、フェース部１の概ね全体に沿って延びる第１縁部３０１、ホーゼル部５の近傍からサイド部４（またはクラウン部２）との境界近傍に沿ってトゥ−ヒール方向の中間付近まで延びる第２縁部３０２、及び、第１縁部３０１のトゥ側の端部と第２縁部３０２のトゥ側の端部とを結び斜めに延びる第３縁部３０３により、概ね三角形状に形成されている。より詳細に説明すると、第１縁部３０１には段差が形成されないか、あるいはわずかな段差しか形成されない。これに対して、第２縁部３０２及び第３縁部３０３には明確な段差が形成され、特に、バック側にいくにしたがって、段差が高くなるように形成されている。このとき、第２縁部３０２及び第３縁部３０３における隆起高さは、例えば、１〜１０ｍｍとすることができる。したがって、第１縁部３０１の段差がない場合には、例えば、第１縁部３０１は、第２縁部３０２及び第３縁部３０３の端部を結び、概ねフェース部１とソール部３との境界に沿う線とすることができる。なお、サイド部４が明確に形成されていない場合には、第２縁部３０２は、ソール部３とクラウン部２との境界付近に沿って形成されるものとすることができる。また、サイド部４が形成されていたとしても、クラウン部２との境界に沿って第２縁部３０２を形成することもできる。
【００２０】
隆起部３０の内部には、円形状の凹部３１が形成されている。凹部３１には、後述するように、装飾部材６と、この装飾部材６を凹部３１に固定するための固定部材７が配置される。また、固定部材７を凹部３１に固定するため、この凹部３１の底面３１１の中心には雌ネジが形成された固定穴３１２が設けられている。この固定穴３１２の位置は、ヘッド重心よりもフェース−バック方向のバック側で、且つトゥ−ヒール方向のヒール側に配置されている。
【００２１】
さらに、この凹部３１の周縁の一部は、第２縁部３０２からヒール側へ突出しており、これによって、第２縁部３０２には凹部３１の周縁の一部を構成する円弧状の突出部３０４が形成されている。
【００２２】
さらに、図４及び図５に示すように、隆起部３０には、少なくとも２つの領域が形成されている。すなわち、フェース部１と連結され基準状態において地面Ｈに設置される設置領域３０６と、この設置領域３０６よりも、フェース−バック方向のバック側に配置され、凹部３１が配置される後部領域３０７と、を有している。設置領域３０６は、上記のように地面Ｈに設置されるため、少なくともフェース−バック方向において、フェース部１との境界付近から凹部３１の近傍まで延びる平坦状の領域である。また、後部領域３０７には、上述したように凹部３１が形成されており、設置領域３０６と後部領域３０７の境界３０９は、凹部３１のフェース部１側の近傍で、凹部３１の周縁に沿うような円弧状に形成されている。
【００２３】
そして、後部領域３０７は、境界３０９からバック側に向かって傾斜するように延びている。すなわち、バック側にいくにしたがって上方に向かうように傾斜している。このとき、設置領域３０６とは、約４〜１０°の角度αで交差するように連結することが好ましい。これは、４°より小さいと、後述するように、剛性が低くなり、フェース部１からの振動が後部領域３０７まで十分に伝達してしまうからであり、１０°より大きくなると、ソール部３の重心が上がってしまうからである。
【００２４】
上記の隆起部３０は、主としてソール部３のヒール部側に配置されており、基準状態にあるヘッド１０の背面視において、隆起部３０の面積の６０％以上が、ソール部３の最もバック側の点を通り、フェース−バック方向に延びる線よりもヒール側に配置することができる。なお、ソール部３の最もバック側の点とは、基準状態にあるヘッドの背面視の輪郭から特定される。
【００２５】
このゴルフクラブヘッドの体積は、例えば、３００ｃｍ3以上であることが好ましく、４００ｃｍ3以上であることがさらに好ましく、４２０ｃｍ3以上であることが特に好ましい。このような体積を有するヘッドは、構えた際の安心感が増し、かつ、スイートエリア及び慣性モーメントを増大させるのに役立つ。なお、ヘッド体積の上限は特に定めないが、実用上、例えば５００ｃｍ3以下が望ましく、またＲ＆ＡやＵＳＧＡのルール規制に従う場合には４７０ｃｍ3以下が望ましい。
【００２６】
また、ヘッドは、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミ合金、マグネシウム合金、またはアモルファス合金などの中から１種または２種以上を用いて形成することもできる。このようなゴルフクラブヘッドは、種々の方法で作製することができるが、例えば、公知のロストワックス精密鋳造法などの鋳造によって製造することができる。
【００２７】
なお、本実施形態に係るヘッドは、少なくともソール部３を有するヘッド本体と、他の部分を組み合わせることで構成される。例えば、フェース部１のみを別部材で構成してヘッド本体に取り付けることでヘッドを構成したり、あるいはクラウン部２やサイド部４に開口を設けたヘッド本体を形成し、この開口を別部材で塞ぐことでヘッドを構成することもできる。また、フェース部１の周囲に周縁部を設けたカップフェース構造を採用することもできる。
【００２８】
＜２．固定部材＞
次に、固定部材７について、図６を参照しつつ説明する。図６は固定部材の平面図（ａ）及び断面図（ｂ）である。以下では、説明の便宜上、図面内の上下方向に基づき、説明を行うが、必ずしもこの方向が発明を限定するものではない。この点は、以下の装飾部材６の説明及びその取付に関する説明についても同じである。
【００２９】
図６に示すように、固定部材７は、円板状の頭部７１と、この頭部７１の下面から延びる軸部７２とを備えている。そして、頭部７１の上面には装飾が施されている。すなわち、頭部７１の上面には、外周縁から径方向内方に延びる複数の三角形状の凹部７１１が等間隔で形成されている。また、頭部７１の上面の中央には、六角レンチなどの工具を差し込むための工具穴７１２が形成されている。さらに、頭部７１の外周面７１３は、下方にいくにしたがって径が小さくなるテーパ状に形成されている。一方、軸部７２は、円柱状に形成されており、外周面には雄ネジが形成されている。そして、この軸部７２は、上述したソール部３に形成された凹部３１の固定穴３１２の雌ネジに螺合するようになっている。
【００３０】
固定部材７を形成する材料は、特には限定されないが、例えば、アルミニウム、ステンレス等の金属や樹脂材料を用いることができる。また、この固定部材７は、調整用のウエイトとして用いられる。すなわち、それぞれ異なる重さでほぼ同じ形状の複数種類の固定部材７を用意しておく。そして、複数種類のうちのいずれかの固定部材７を用いることで、ヘッドの重量や重心位置を変更することができる。
【００３１】
＜３．装飾部材＞
次に、装飾部材６について、図７を参照しつつ説明する。図７は装飾部材の平面図（ａ）及び断面図（ｂ）である。
【００３２】
図７に示すように、装飾部材６は、ソール部３に装飾を施すために設けられるものである。円形の板状に形成されており、中央に貫通孔６１が形成されている。装飾部材６の外径は、ソール部３の凹部３１の内径とほぼ一致しており、また、中央の貫通孔６１は、凹部３１の固定穴３１２と対応する位置に配置されている。装飾部材６の上面には、装飾が施されているが、種々の方法での装飾が可能である。例えば、着色したり、凹凸による模様を形成することで装飾を施すことができる。図７の例では、貫通孔６１の周囲に、リング６２が形成されるとともに、複数の三角形状の突部６３が装飾部材６の上面の外周縁から径方向内方へ突出するような模様が形成されている。そして、装飾部材６の上面において、リング６２及び突部６３以外の領域が削られて凹部となることで、模様を形成している。なお、装飾部材６の突部６３は、固定部材７の凹部７１１と対応し、模様の共通化を図っている。
【００３３】
貫通孔６１は、固定部材７を取り付けるために形成されており、円筒状の３つの部位で構成されている。すなわち、固定部材７の軸部７２が挿通される第１部６１１と、この第１部６１１より大径で、頭部７１が配置される第２部６１２と、この第２部６１２より大径で頭部７１の周縁に隙間を形成する第３部６１３と、で構成されており、第１部から第３部６１１〜６１３は、この順で、貫通孔６１の下方から上方へ連続するように形成されている。
【００３４】
第１部６１１は、固定部材７の軸部７２よりもやや大径に形成されている。第２部は６１２、第１部６１１より大径であるため、第２部６１２と第１部６１１との間には、第１段部６１４が形成されており、この第１段部６１４に固定部材７の頭部７１の下面が設置されるようになっている。このとき、頭部７１の上面と装飾部材６の上面とは、概ね同一平面上に配置されるように、第１段部６１４の深さが規定されている。また、第２部６１２の内壁面は、下方にいくにしたがって径が小さくなるテーパ状に形成されており、固定部材７の頭部７１の外周面７１３のテーパと対応している。
【００３５】
第３部６１３は、第２部６１２よりやや大径に形成されており、固定部材７の頭部７１が装飾部材６に装着されたとき、固定部材７の頭部の周縁に隙間を形成するものである。すなわち、頭部７１の外周面７１３と第３部６１３の内壁面との間に隙間Ｄが形成される（図８参照）。この隙間Ｄの幅は、特には限定されないが、例えば、０．１〜２．０ｍｍ、より好ましくは０．２〜１．５ｍｍとすることができる。また、第３部６１３と第２部６１２との間には、第２段部６１５が形成されるが、この第２段部６１５は、装着された頭部７１の上下方向の中間部に位置するように構成されている。
【００３６】
装飾部材６を形成する材料は特には限定されないが、例えば、ステンレス、アルミニウムなどの金属、樹脂材料などで形成することもできる。また、固定部材７と同様に、装飾部材６を調整用のウエイトとして用いることもできる。
【００３７】
＜４．固定部材及び装飾部材の取付＞
次に、固定部材及び装飾部材の取付について、図８及び図９を参照しつつ説明する。図８は装飾部材及び固定部材がソール部に取り付けられた状態を示す断面図、図９は図８の平面図である。
【００３８】
まず、装飾部材６の下面に接着剤を塗布した後、装飾部材６をソール部３の凹部３１に配置する。続いて、装飾部材６の貫通孔６１に固定部材７を配置し、固定部材７の上面の工具穴７１２に六角レンチを差し込み、回転させる。これにより、固定部材７の軸部７２の雄ネジが、凹部３１の雌ネジにねじ込まれていく。そして、固定部材７が完全にねじ込まれると、頭部７１の上面と装飾部材６の上面がほぼ一致する。こうして、図８及び図９に示すように、固定部材７及び装飾部材６の取付が完了する。
【００３９】
＜５．特徴＞
以上のように、本実施形態によれば、次の効果を得ることができる。
(1) ソール部３に下方に隆起する隆起部３０が形成されているため、ヘッド１０の重心位置を下げることができる。特に、隆起部３０の内部には、ウエイトとしての固定部材７や装飾部材６が取り付けられる凹部３１が形成されているため、ヘッド重心をさらに下げることができる。これにより、打ち出し角度を高くすることができ、飛距離を伸ばすことができる。また、固定部材７や装飾部材６を隆起部３０の内部に配置することで、突出しないようにできるため、スイング時に、これらが地面に引っ掛かるのを防止することができる。
【００４０】
(2) 凹部３１の中心は、ヘッド重心よりもフェース−バック方向のバック側にあるため、重心の深度が大きくなる。さらに、凹部３１がトゥ−ヒール方向のヒール側に配置されているため、スライスしにくくなる（いわゆるボールの掴まりがよくなる）。また、隆起部３０が、上記のような三角形状に形成され、主としてソール部３のヒール側に配置されていることによっても、スライスを抑制することができる。
【００４１】
(4) 凹部３１を隆起部３０の内部に配置するに当たって、凹部３１をさらにバック側に配置しても、隆起部３０の第２縁部３０２を円弧状に突出させることで、凹部３１を隆起部３０内に収めることができる（突出部３０４）。したがって、隆起部３０のデザインを損なうことなく、凹部３１をバック側に配置することができる。
【００４２】
(5) 固定部材７と装飾部材６とを、ともに凹部３１に配置しているため、装飾部材６も重量物として利用することができる。
【００４３】
(6) 隆起部３０において、フェース−バック方向に、設置領域３０６と後部領域３０７とが形成されており、後部領域３０７は、両者の境界３０９から上方に向かって傾斜している。すなわち、２つの領域３０６，３０７はその境界において折れ曲がるように連結されている。そのため、２つの領域３０６，３０７が平坦に連結されている場合に比べ、隆起部３０の剛性を高めることができる。これにより、打撃時の振動の周波数が大きくなり、打球音を高くすることができる。特に、本実施形態で、ウエイトとして機能する固定部材７と装飾部材６が、隆起部３０における振動の腹の近傍に配置されている場合、振動の周波数が小さくなる傾向にある。したがって、このような構造において、上記のように設置領域３０６と後部領域３０７との境界３０９に角度を付けると、打撃によって振動を受ける隆起部の剛性が高くなり、打球音を高くするのに特に有利である。
【００４４】
＜６．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００４５】
＜６．１＞
上記実施形態では、隆起部３０を三角形状に形成しているが、隆起部３０の形状は特には限定されず、少なくとも凹部３１が隆起部３０の内部に配置され、凹部３１の中心が、フェース−バック方向のバック側で、且つトゥ−ヒール方向のヒール側に配置されていればよい。また、隆起部３０の隆起高さも特には限定されず、上記実施形態のように、隆起高さを場所によって変えてもよいし、すべての箇所で一定にしてもよい。但し、隆起部３０は、全体としてヒール側に配置されていることが好ましい。
【００４６】
＜６．２＞
上記実施形態においては、隆起部３０に、設置領域３０６と後部領域３０７を形成し、これらを角度を付けて連結するようにしているが、必ずしもこのようにする必要はなく、両領域３０６，３０７が平坦であってもよい。
【００４７】
＜６．３＞
上記実施形態では、凹部３１に固定部材７と装飾部材６の両方を配置しているが、固定部材７だけでもよいし、いずれも配置されていなくても本発明のゴルフクラブヘッドを構成する。また、複数の凹部を設けることもできる。また、固定部材７及び装飾部材６は、凹部３１から外部へ突出していなければ、その形状、固定方法などは特には限定されない。また、凹部３１の形状は円形以外でもよく、多角形状でもよい。さらに、凹部３１は隆起部３０内に配置されていればよいため、必ずしも縁部から突出させる必要はない。
【００４８】
＜６．４＞
上記実施形態では、ウッド型ゴルフクラブについて説明したが、本発明に係るゴルフクラブは、これに限定されない。例えば、いわゆるユーティリティ型及びハイブリッド型等を含む中空のヘッドを有するゴルフクラブであってもよい。
【符号の説明】
【００４９】
１        ：フェース部
２        ：クラウン部
３        ：ソール部
３０      ：隆起部
３０１    ：第１縁部
３０２    ：第２縁部
３０３    ：第３縁部
３０４    ：突出部
３１      ：凹部
６        ：装飾部材
７        ：固定部材（ウエイト部材）
３１２  固定穴（凹部の中心）
【図１】
0006484118.tif 000002
【図２】
0006484118.tif 000003
【図３】
0006484118.tif 000004
【図４】
0006484118.tif 000005
【図５】
0006484118.tif 000006
【図６】
0006484118.tif 000007
【図７】
0006484118.tif 000008
【図８】
0006484118.tif 000009
【図９】
0006484118.tif 000010